(57)【要約】【課題】簡便な方法で、放射性物質から放出される放射線量を低減する。【解決手段】磁気水処理装置の内部に磁石による磁力線が通った路を水が流れることで生成される磁力還元水を、放射性物質と合わせる。磁力還元水と放射性物質とを混合したり、磁力還元水を放射性物質を含んだ場に散布したり、放射性物質を含有した水を、磁気水処理装置の内部に磁石による磁力線が通った路に流すことで、磁力還元水と放射性物質と合わせる。【選択図】図１
2013231604.tif 000002
【特許請求の範囲】
【請求項１】
磁気水処理装置の内部に磁石による磁力線が通った路を水が流れることで生成される磁力還元水を、放射性物質と合わせることにより、当該放射性物質から放出される放射線量を低減することを特徴とする放射線低減方法。
【請求項２】
前記磁力還元水と放射性物質とを混合することを特徴とする請求項１に記載の放射線低減方法。
【請求項３】
放射性物質を含有した水を、磁気水処理装置の内部に磁石による磁力線が通った路に流すことで、前記磁力還元水と放射性物質と合わせる請求項１に記載の放射線低減方法。
【請求項４】
前記磁力還元水を、放射性物質を含んだ場に散布することを特徴とする請求項１に記載の放射線低減方法。
【請求項５】
磁気水処理装置が付設されて内部に磁石による磁力線が通った路を少なくとも一部に有した循環路と、
前記循環路内の液を循環させるポンプと、を備え、
放射性物質を含有した水が前記循環路を循環することで、当該放射性物質から放出される放射線量が低減することを可能にされた放射線低減装置。
【請求項６】
前記内部に磁石による磁力線が通った路が、一対の極性の異なる磁石が挟んだ管路とされた請求項５に記載の放射線低減装置。
【請求項７】
前記磁気水処理装置は、
一面側がＮ極で他面側がＳ極の板状磁石と、
N極を対向させた板状磁石間に重ねられた板状磁性体と、
Ｓ極を対向させた板状磁石間に重ねられた板状磁性体と、
これら板状磁性体及び板状磁石の外側に形成され、板状磁性体及び板状磁石を重ねた方向に水を流す水路と、
この水路の外側に配置され、前記N極を対向させた板状磁石間に重ねられた板状磁性体から外側に向かう磁力線を反射して、前記Ｓ極を対向させた板状磁石間に重ねられた板状磁性体に向かわせる非磁性体による磁力線反射板と、
前記板状磁石及び板状磁性体を収容する非磁性体による筒状部材の両端に球面状部を有する磁石積層ケースと、を備えることを特徴とする請求項５に記載の放射線低減装置。
【請求項８】
前記磁気水処理装置は、
一面側がＮ極で他面側がＳ極の板状磁石と、
極性を揃えて複数枚重ねた板状磁石のＮ極側に重ねられた板状磁性体と、
極性を揃えて複数枚重ねた板状磁石のＳ極側に重ねられた板状磁性体と、
これら板状磁性体及び板状磁石の外側に形成され、板状磁性体及び板状磁石を重ねた方向に水を流す水路と、
この水路の外側に配置され、前記複数枚重ねた板状磁石のＮ極側に重ねられた板状磁性体から外側に向かう磁力線を反射して、前記複数枚重ねた板状磁石のＳ極側に重ねられた板状磁性体に向かわせる非磁性体による磁力線反射板と、
前記板状磁石及び板状磁性体を収容する非磁性体による筒状部材の両端に球面状部を有する磁石積層ケースと、を備えることを特徴とする請求項５に記載の放射線低減装置。
【発明の詳細な説明】
【技術分野】
【０００１】
本発明は、放射性物質から放出される放射線量を低減する方法及び装置に関する。
【背景技術】
【０００２】
近時、原子力発電等に伴い放射性物質の処分が問題となっている。
ここで、放射性物質とは、放射能を持つ物質の総称であり、放射能とは放射線を出す能力のことである。放射線とは、放射性元素の崩壊に伴い放出される粒子線あるいは電磁波のことであり、主にアルファ線、ベータ線、ガンマ線の３種のことを指す。
放射線量の計測単位として、しばしば、シーベルト〔Ｓｖ〕が用いられる。シーベルト〔Ｓｖ〕は放射線防護の分野で使われ、人体が吸収した放射線の影響度を数値化した単位である。
【０００３】
特許文献１には、電気分解により放射能濃度を低減できるとされる放射性廃液の処理方法が記載されている。
【先行技術文献】
【特許文献】
【０００４】
【特許文献１】特開２０００−９８０８７号公報
【発明の概要】
【発明が解決しようとする課題】
【０００５】
本発明は簡便な方法で、放射性物質から放出される放射線量を低減することを課題とする。
【課題を解決するための手段】
【０００６】
以上の課題を解決するための請求項１記載の発明は、磁気水処理装置の内部に磁石による磁力線が通った路を水が流れることで生成される磁力還元水を、放射性物質と合わせることにより、当該放射性物質から放出される放射線量を低減することを特徴とする放射線低減方法である。
【０００７】
請求項２記載の発明は、前記磁力還元水と放射性物質とを混合することを特徴とする請求項１に記載の放射線低減方法である。
【０００８】
請求項３記載の発明は、放射性物質を含有した水を、磁気水処理装置の内部に磁石による磁力線が通った路に流すことで、前記磁力還元水と放射性物質と合わせる請求項１に記載の放射線低減方法である。
【０００９】
請求項４記載の発明は、前記磁力還元水を、放射性物質を含んだ場に散布することを特徴とする請求項１に記載の放射線低減方法である。
【００１０】
請求項５記載の発明は、磁気水処理装置が付設されて内部に磁石による磁力線が通った路を少なくとも一部に有した循環路と、
前記循環路内の液を循環させるポンプと、を備え、
放射性物質を含有した水が前記循環路を循環することで、当該放射性物質から放出される放射線量が低減することを可能にされた放射線低減装置である。
【００１１】
請求項６記載の発明は、前記内部に磁石による磁力線が通った路が、一対の極性の異なる磁石が挟んだ管路とされた請求項５に記載の放射線低減装置である。
【００１２】
請求項７記載の発明は、前記磁気水処理装置は、
一面側がＮ極で他面側がＳ極の板状磁石と、
N極を対向させた板状磁石間に重ねられた板状磁性体と、
Ｓ極を対向させた板状磁石間に重ねられた板状磁性体と、
これら板状磁性体及び板状磁石の外側に形成され、板状磁性体及び板状磁石を重ねた方向に水を流す水路と、
この水路の外側に配置され、前記N極を対向させた板状磁石間に重ねられた板状磁性体から外側に向かう磁力線を反射して、前記Ｓ極を対向させた板状磁石間に重ねられた板状磁性体に向かわせる非磁性体による磁力線反射板と、
前記板状磁石及び板状磁性体を収容する非磁性体による筒状部材の両端に球面状部を有する磁石積層ケースと、を備えることを特徴とする請求項５に記載の放射線低減装置である。
【００１３】
請求項８記載の発明は、前記磁気水処理装置は、
一面側がＮ極で他面側がＳ極の板状磁石と、
極性を揃えて複数枚重ねた板状磁石のＮ極側に重ねられた板状磁性体と、
極性を揃えて複数枚重ねた板状磁石のＳ極側に重ねられた板状磁性体と、
これら板状磁性体及び板状磁石の外側に形成され、板状磁性体及び板状磁石を重ねた方向に水を流す水路と、
この水路の外側に配置され、前記複数枚重ねた板状磁石のＮ極側に重ねられた板状磁性体から外側に向かう磁力線を反射して、前記複数枚重ねた板状磁石のＳ極側に重ねられた板状磁性体に向かわせる非磁性体による磁力線反射板と、
前記板状磁石及び板状磁性体を収容する非磁性体による筒状部材の両端に球面状部を有する磁石積層ケースと、を備えることを特徴とする請求項５に記載の放射線低減装置である。
【発明の効果】
【００１４】
本発明によれば、磁力還元水の作用により、放射性物質から放出される放射線量が低減されるという効果がある。
【図面の簡単な説明】
【００１５】
【図１】本発明の一実施形態に係る放射線低減装置の斜視図である。
【図２】磁気水処理装置を説明する部分断面図である。
【図３】図２において、断面Ａ−Ａを示すと共に、磁界の様子を説明した図である。
【図４】磁石ユニットの正面図である。
【図５】磁石ユニットの平面図である。
【図６】磁石ユニットの底面図である。
【図７】磁石ユニットの側面図である。
【図８】磁気水処理装置の組立ての一形態例を説明する斜視図である。
【図９】磁気式水処理装置の中央縦断側面図である。
【図１０】図９の磁気式水処理装置の縦断正面図である。
【図１１】図９の磁石ケース支持部材の拡大図である。
【発明を実施するための形態】
【００１６】
以下に本発明の一実施形態につき図面を参照して説明する。以下は本発明の一実施形態であって本発明を限定するものではない。
【００１７】
本発明の磁力還元水は、特許第３２６９７７４号や特許第４３９９２９３号の磁気水処理装置の内部に磁力線が通った路に水を流すによって生成することができる。
生成された磁力還元水を、放射性物質と混合すること、放射性物質を含んだ場に散布することなどによって、磁力還元水と放射性物質と合わせれば、放射性物質から放出される放射線量が低減されるという効果が現れる。より均一に合わせるために混合することが好ましい。
また、放射性物質を含有した水を、内部に磁力線が通った路に流すことで、その水が磁力還元水となり、磁力還元水と放射性物質と合わせることができる。このような方法でも、放射性物質から放出される放射線量が低減されるという効果が現れる。
【００１８】
図１に、循環式の放射線低減装置Ｐを示す。
放射線低減装置Ｐは、投入口Ｐ１１及び排出口Ｐ１２を有したケースＰ１と、ケースＰ１内に設置されたろ過器Ｐ２と、循環路配管Ｐ３とを備える。
循環路配管Ｐ３は、ろ過器Ｐ２から放出されたケースＰ１内の液が流入し、再びろ過器Ｐ２に投入する管路を構成する。ケースＰ１、ろ過器Ｐ２及び循環路配管Ｐ３により循環路が構成される。
循環路配管Ｐ３の途中には、バルブＰ３１と、循環ポンプＰ３２と、磁気水処理装置Ｐ３３とが設けられている。循環ポンプＰ３２により循環路内の液を循環させる。
【００１９】
放射線低減装置Ｐにより放射性物質を処理する手順は、以下による。
まず、放射性物質と、水とを投入口Ｐ１１からケースＰ１内に投入する。投入する放射性物質と、水とは別々に投入してもよいし、事前に混合しておいても良い。
次に、バルブＰ３１を開いて、循環ポンプＰ３２を稼動させ、放射性物質を含有した水を循環路で所定時間循環させる。
【００２０】
なお、ろ過器Ｐ２は、水と、その含有物とを分離するためのものである。排出口Ｐ１２はケースＰ１内の液を排出するためのものである。放射線量低減効果を得るために、ろ過器Ｐ２、排出口Ｐ１２、バルブＰ３１は任意である。  
【００２１】
〔実施例１〕
放射線物質としてセシウムを含んだ放射線灰を対象とした。処理前における放射線灰の放射線量は、０．１８〔μＳｖ／ｈ〕であった。実施場所地表の放射線量は０．０５〔μＳｖ／ｈ〕であった。
この放射線灰を１８〔ｋｇ〕と、水３０〔〕とを放射線低減装置Ｐに投入し、２時間１０分に亘り循環ポンプＰ３２を稼動して処理した。
処理後、ろ過器Ｐ２内に残った灰の放射線量は、０．０６〔μＳｖ／ｈ〕、ケースＰ１内の水の放射線量は、０．０９〔μＳｖ／ｈ〕であった。
【００２２】
〔実施例２〕
放射線物質としてセシウムを含んだ放射線灰を対象とした。処理前における放射線灰の放射線量は、０．１８〔μＳｖ／ｈ〕であった。実施場所地表の放射線量は０．０５〔μＳｖ／ｈ〕であった。
この放射線灰を６〔ｋｇ〕と、磁気還元水１８〔〕とを回転式のミキサーに投入して回転させ混合したところ、ミキサー内の放射線量は、０．０５〔μＳｖ／ｈ〕であった。
【００２３】
〔磁気水処理装置の実施形態その１〕
上述したように、一実施形態として特許第３２６９７７４号に記載の磁気水処理装置を、磁気水処理装置Ｐ３３として適用できる。その内容は以下のとおりである。図２〜図８を参照する。参照符号は図２〜図８に限ったものである。
【００２４】
先ず、磁気水処理装置の構成を説明する。１はパイプ、４は風雨等を凌ぐためのカバー、５はフランジ、７は磁路を形作る鉄製のヨーク体、２０、３０は、複数のＮ極を担当させる第１の永久磁石２、２、２、Ｓ極を担当させる第２の永久磁石３、３、３を具備している第１、第２の磁石ユニットであり、前記第１及び第２の永久磁石は同一形状のものである。また、７１、７２は前記ヨーク体７とパイプ１によって形成される前記パイプ１の上下に設けられた上側および下側空間部である。
【００２５】
図２および図３に示すように、パイプ１は、非磁性体からなり、その両端部に配管用ネジ１ａ、１ｂが設けられており、配管用ネジ１ａ、１ｂを介して、水道管並びに熱交換器等の配管に接続される。このパイプ１の外側において、風雨を凌ぐための箱型形状のカバー４が、フランジ５、５を介して、溶接で気密的に取り付けられている。
【００２６】
カバー４の内部には、内幅がパイプ１の外径と略同寸法で、肉厚がカバー４の約倍に構成されているヨーク体７が、当該パイプ１の側面と接触している接触部８、８で当該パイプ１を挟持する形で、点溶接されて取り付けられており、図上、ヨーク体７の内部下面とパイプ１の下側側面の間には、下側空間部７２が形成され、当該下側空間部７２にはパイプ１側にＳ極の磁極を対面させた第２の永久磁石３、３、３を有する第２の磁石ユニット３０が、また、パイプ１上側側面とヨーク体７の内側上面との間には、上側空間部７１が形成され、当該上側空間部７１には、パイプ１側にＮ極の磁極を対向させた第１の永久磁石２、２、２を有する第１の磁石ユニット２０が配設されている。これらの下側空間部７２および上側空間部７１は同じ大きさであり、両空間部７１、７２に各々配設されている両磁石ユニット２０、３０によって生じている磁場の中を、導管を流れる水が直角に通過するようになっている。
【００２７】
ヨーク体７は鉄製の磁性材で形成されており、その形態は、中空の角筒形状でループ状になっており、ループ周辺には磁石の磁極になるように突起や端面がないものである。よって、押し出し成形によるシームレスが理想とされるが、当該ヨーク体の側面を板状の磁性材で構成し、各板同士の接続辺部を溶接するなどの工法によって形成されてもよい。この場合、前述したように突起や端面が生じないように形成することは勿論である。なお、ヨーク体７の開口部を塞いで密閉した形にしてもよい。
【００２８】
ここで図４〜図７を参照して、導管を挟んで対峙する第１の磁石ユニット２０及び、第２の磁石ユニット３０について説明するが、第１の磁石ユニット２０と第２の磁石ユニット３０は略同一の構造であるため、ここでは便宜上、第２の磁石ユニット３０に着眼して述べる。図４は第１及び第２の磁石ユニットの正面図であり、図５はその平面図、図６はその底面図、図７はその側面図である。なお、図４〜図７上には第２の磁石ユニットの構造に対応する第１の磁石ユニットの構造の符号も記す。
【００２９】
第２の磁石ユニット３０は、長方形状の台板３１と、当該台板３１上面に載置されている３つの第２の永久磁石３、３、３と、当該台板の上面において第２の永久磁石３、３、３の位置を決定し保持する保持板３２とによって構成されている。
【００３０】
保持板３２は、図７に示す通り、その両側端辺部を鉛直下方に折曲して設けた脚部３２１、３２１において、台板３１の側端部に溶接固定されており、当該保持板３２の中央部には３つの保持孔３２２、３２２、３２２が予め所定の間隔で穿設されており、台板３１に載置した第２の永久磁石３、３、３の略中間部を保持している。また保持板３２は、磁束の誘導を妨げないように、且つ第２の永久磁石３を設置を容易にするため、ステンレス等の非磁性材からなっている。また、当該保持板３２に設けられている保持孔３２２は、永久磁石３の胴径より若干大きく穿設されている。このため、永久磁石３を、台板３１上に載置する際、当該永久磁石３を保持孔３２２の上部付近に運ぶだけで、当該磁石の持つ磁力の作用も加わって容易に載置することができる。
【００３１】
台板３１の材質は載置される第２の永久磁石３の磁力線をヨーク体７まで誘導するため鉄系の磁性材で形成されている。また、図６に示すように、台板３１には、第２の永久磁石３の取り付けられる位置に貫通孔３１１が設けられており、磁石ユニット３０の組立て時において異極の磁石が間違えて組み立てられていたような場合、例えば、台板３１に、Ｓ、Ｓ、Ｓ極を上面に永久磁石３を取り付けるところを、Ｓ、Ｎ、Ｓ極を上面にして第２の永久磁石３を取り付けた場合等において、貫通孔３１１に棒形状の部材を通し当接するＮ極が上面となっている第２の永久磁石３を押し出すことによって修正することが容易となっている。
【００３２】
上記構成による磁石ユニット３０の幅寸法は、ヨーク体７の内幅より短く組み立て容易となっている。また全長は、ヨーク体７と同寸法で形成されている。
【００３３】
先に述べたように、第１の磁石ユニット２０の構造は、前述した第２の磁石ユニット３０の構造と略同一であり、第２の永久磁石３を上面をＳ極にして台板３１に載置するところをＮ極を上面にして台板２１に載置している点が異なっているだけのものであるため、詳細な説明は省略する。
【００３４】
本実施の形態における磁気水処理装置１００は、これら上記構成の両磁石ユニット２０、３０の台板２１、３１が、ヨーク体７とパイプ１とによって形成されている各々の上下側空間部７１、７２の底面７１１、７２１に載置されることによって、各々Ｎ極、Ｓ極を形成する両磁石ユニット２０、３０が、パイプ１を挟んで対峙した状態となって、より強力な磁場を形成している。
【００３５】
また、本実施の形態例における磁気水処理装置１００を組み立てる際、図８に示すように、パイプ１を取り付ける前に、第１及び第２の磁石ユニット２０、３０をヨーク体７の上下側空間部７１、７２に夫々挿入して取り付けるような手順にしてもよい。複数の磁石が上記構成のようにユニット化されているため前述のような組み立て手順でも簡便且つ円滑に対応できる。
【００３６】
次に、動作を説明する。前述のように、磁気水処理装置１００では、磁性材である鉄製のヨーク体７によって、第１及び第２の永久磁石２、３の極間に生じる磁力線ｂは、当該ヨーク体７の外部に漏洩しないため、水が流れるパイプ１に集中する。これによって、パイプ１内に水が流れると、第１及び第２の永久磁石２、３の極間のより強力な磁場の中を、一定以上の流速で直角に横切るため、流水が電気伝導度を持ち、電子励気作用が起こりエネルギが発生し、この作用によりスケール形成物質の結晶粒子が微細化され、パイプ１内にスケールを形成することなく水中に懸濁した状態で水流に流されることになる。したがって、以下のような種々の効果を一層効果的に達成できる。使用する設備のエネルギの節約、完全に物理化学的な水処理法なので公害を引き起こす心配がなく、環境汚染防止に繋がる。また、既存のスケールの進行を防止し、徐々にスケール自体を除去するため、当該水処理装置の設置された配管の循環ライン設備を新品に取り替えたり、修理、洗浄の作業の必要がなくなり経済的であり、その作業の為に稼動停止の必要もなくなる。これは例えば、工場プラント、病院、ホテル等、２４時間稼動が要求される所での効果が大きい。さらに設備やパイプラインをスケールや腐食から守るため、関連設備の寿命が延長される。外部電源が不要、用水の改善、効果的な経費の節約ができる。また、パイプ１を流れた水を、放射性物質と合わせることにより、当該放射性物質から放出される放射線量を低減する効果が得られる。
【００３７】
なお、本磁石ユニットでは、円柱形状の永久磁石が３個設置されているとしたが、この形状の永久磁石に限らず、楕円柱、四角柱、三角柱などで形成されてもよく、また、永久磁石の配置する個数については取り付けようとする装置の内容及び処理内容、加えて水の状態などに対応する個数を設置してもよい。
【００３８】
さらに、パイプ１を挟んで対峙して設けられる極性の異なる第１及び第２の永久磁石２、３の磁極間距離が短いほど好適である。なお、磁石ユニットとヨーク体は、管路の導管の外部において組み立てることができるので、導管を使用している状態でも磁気水処理装置を容易に組み立てることが可能である。したがって、これらをガス管などの水以外の管路に用いて、上述した同様な作用によって、磁気処理することもできる。その他、具体的な細部構造等についても適宜に変更可能であることは勿論である。
【００３９】
〔磁気水処理装置の実施形態その２〕
上述したように、一実施形態として特許第４３９９２９３号に記載の磁気式水処理装置を、磁気水処理装置Ｐ３３として適用できる。その内容は以下のとおりである。図９〜図１１を参照する。参照符号は図９〜図１１に限ったものである。
【００４０】
本磁気式水処理装置は、図９及び図１０に示すように、板状磁石の一例としての円板磁石１、板状磁性体の一例としての円板鋼板２・３、水路の一例としての環状水路４、非磁性体の一例としてのステンレス製筒状部材による磁力線反射板１０及びケース１１等により構成されている。
【００４１】
本実施形態において、円板磁石１は、一面側がＮ極で他面側がＳ極のストロンチウム・フェライトによる強力永久磁石であって、図９に示すように、その極性を揃えて３枚ずつ積層されて計８組設けられている。この３枚ずつ積層された円板磁石１のＮ極側に同径の円板鋼板２が重ねられて、Ｓ極側にも同径の円板鋼板３が重ねられている。
本実施形態では、図９に示したように、円板磁石１のＮ極側に重ねた円板鋼板２が両端部に配置されていて、その間において、３枚積層の円板磁石１の対向するＮ極間に円板鋼板２が挟まれるとともに、３枚積層の円板磁石１の対向するＳ極間に円板鋼板３が挟まれている。
【００４２】
こうして積層された円板磁石１及び円板鋼板２・３の外周に環状水路４が形成されていて、環状水路４の外周側には、ステンレス製円筒部材による磁力線反射板１０が配置されている。
すなわち、積層された円板磁石１及び円板鋼板２・３は、その中心部に非磁性体の一例としてのステンレス製ボルト５を貫通してナット６を締め付けて、非磁性体の一例としてのステンレス製円筒部材による磁石積層ケース７に一体化固定されている。この磁石積層ケース７は、積層された円板磁石１及び円板鋼板２・３を収容する円筒部材の両端に球面状部７１を一体して有するもので、同様に非磁性体の一例としてのステンレス製円筒部材による装置ケース１１に収容されている。
装置ケース１１には磁石積層ケース７がステンレス製の支持金具（支持部材）８により同心に取付支持されている。支持金具８は環状水路４の両端の周囲に部分的に設けられていて、この支持金具８には、図１１に拡大して示したように、水流に回転と流速を与える部分（溝や突部）９が形成されている。
【００４３】
装置ケース１１は、内周に鉄板ケース１２を介装して磁力線反射板１０を設けたもので、両端部が径を小さくした径変化部１３となっていて、その内部が磁石積層ケース７の球面状部７１とによる分流合流部１４となっている。そして、径変化部１３の端部にフランジ継手１５が一体に備えられている。このフランジ継手１５は、図示しない水の流れる管路に接続可能である。
なお、装置ケース１１の組立ては、全て電気溶接により行われて、円板磁石１による磁力線が外部に漏れないようになっている。
【００４４】
以上の磁力式水処理装置によれば、両端のフランジ継手１５により図示しない水の流れる管路に接続して簡単に配管直結できる。
そして、環状水路４に流れる水流に対しては、環状水路４の内周側と外周側との間を両方向に、強化された放射状の磁力線が横切るため、磁気による水処理性能の向上を達成できる。
ここで、磁石は強力な磁場の飛ぶ範囲が狭く限られているため、本実施形態において、磁力がより強力に作用する環状水路４を確保することで、その環状水路４を通過させることによって水質を変化させるようにしている。すなわち、環状水路４には、図９に矢印で示されるように、隣り合う円板磁石１の間でＮ極からＳ極に磁力線が向かうとともに、Ｎ極に磁化された円板鋼板２からＳ極に磁化された円板鋼板３に強力な磁力線が次々に向かって飛ぶ強力な磁場室となっている。
【００４５】
以上により、図９に矢印で示したように、３枚積層の円板磁石１の外側に重ねてＮ極の磁性が集中した円板鋼板２と、３枚積層の円板磁石１に挟まれてＮ極の磁性が集中した円板鋼板２の外周面から外側に向かう強化された放射状の磁力線が、環状水路４の外周側において、ステンレス製の磁力線反射板１０により反射して、３枚積層の円板磁石１に挟まれてＳ極の磁性が集中した円板鋼板３と、３枚積層の円板磁石１の外側に重ねてＳ極の磁性が集中した円板鋼板３の外周面に向かう。こうして強化された放射状の磁力線が環状水路４の内外周間を両方向に横切る。
従って、３枚積層の円板磁石１の間及び両側計９枚の円板鋼板２・３と磁力線反射板１０との間において、環状水路４を流れる水に対し強化された放射状の磁力線が両方向に横切って効率良く繰り返して磁力線が作用するため、磁気水処理性能が従来より格段に向上する。
【００４６】
また、円板磁石１及び円板鋼板２・３の磁石積層ケース７を装置ケース１１内に支持する支持金具８に形成した水流に回転を与える部分９により、環状水路４内で磁気処理される水流を回転させて、さらには流速を上げて、効果的に水処理できるものである。
そして、図示しない水の流れる管路から分流合流路１４で分流して環状水路４において磁気処理された水は分流合流部１４で合流して管路に戻される。
【００４７】
なお、以上の実施の形態においては、円板磁石及び環状水路としたが、これに限定されるものではなく、要は板状磁石の外側に水路を形成したものであれば良い。
また、実施形態では、極性を揃えた板状磁石を３枚重ねとしたが、１枚や２枚重ねや４枚重ねなど枚数は任意である。実施形態において、磁石が３枚×８組の計２４枚・鋼板（磁性体）が９枚であるが、磁石の積層の配列は装置の口径や大小によって異なるものであり、例えば磁石を３枚×１０組の計３０枚としたり５枚×８組の計４０枚としても良い。
さらに、その他、具体的な細部構造等についても適宜に変更可能であることは勿論である。
【００４８】
〔磁力還元水の放射線消去効果〕
以上説明した磁気水処理装置で生成される水、磁力還元水による放射線消去効果として以下の説を挙げる。
放射線が放つ電子を磁力還元水の磁力線の電子が受け取り還元化する、よって放射線が放つ電子は磁力還元水で消去される。
【符号の説明】
【００４９】
Ｐ 放射線低減装置 
Ｐ１ ケース
Ｐ１１ 投入口
Ｐ１２ 排出口
Ｐ２ ろ過器
Ｐ３ 循環路配管
Ｐ３１ バルブ
Ｐ３２ 循環ポンプ
Ｐ３３ 磁気水処理装置
【図１】
2013231604.tif 000003
【図２】
2013231604.tif 000004
【図３】
2013231604.tif 000005
【図４】
2013231604.tif 000006
【図５】
2013231604.tif 000007
【図６】
2013231604.tif 000008
【図７】
2013231604.tif 000009
【図８】
2013231604.tif 000010
【図９】
2013231604.tif 000011
【図１０】
2013231604.tif 000012
【図１１】
2013231604.tif 000013